(57)【特許請求の範囲】
【請求項１】
商品の精算処理に応じて貨幣の収納処理及び釣銭となる貨幣の払出処理を行う貨幣釣銭機と、前記貨幣釣銭機に収納された貨幣の一部又は全部の入金を受け付ける貨幣入出金機とを有する貨幣処理システムであって、
前記貨幣入出金機は、
自装置及び前記貨幣釣銭機に着脱可能であり、該貨幣釣銭機から自装置に収納する貨幣を収納するとともに、該貨幣の貨幣量に係る情報を保持する記憶媒体が付設された貨幣カセットと、
前記貨幣カセットに収納した貨幣の貨幣量に係る情報を前記記憶媒体から読み取る読取部と、
貨幣の収納及び貨幣の繰り出しが可能な第１の貨幣収納部と、
所定の操作に応答して、前記第１の貨幣収納部に収納された貨幣の一部又は全部を収納する第２の貨幣収納部と、
装置本体に前記貨幣カセットが装着された場合に、前記読取部により前記記憶媒体から読み取られた貨幣量に係る情報を前記第１の貨幣収納部に収納する貨幣の貨幣量に関する情報として取得する取得部と、
前記取得部により取得された貨幣量に関する情報に基づいて、前記第１の貨幣収納部に収納された貨幣の一部又は全部を前記第２の貨幣収納部に収納するよう制御する制御部と
を備えたことを特徴とする貨幣処理システム。
【請求項２】
前記貨幣入出金機は、
前記第１の貨幣収納部に収納できる貨幣の上限値を記憶する記憶部をさらに備え、
前記制御部は、
前記第１の貨幣収納部に収納された貨幣の貨幣量、前記取得部により取得された貨幣量に関する情報及び前記記憶部に記憶された上限値に基づいて、前記第１の貨幣収納部に収納された貨幣の一部又は全部を前記第２の貨幣収納部に収納するよう制御する
ことを特徴とする請求項１に記載の貨幣処理システム。
【請求項３】
前記貨幣釣銭機は、
前記貨幣カセットに収納した貨幣の貨幣量に係る情報を前記記憶媒体に書き込む書込部を備えたことを特徴とする請求項１又は２に記載の貨幣処理システム。
【請求項４】
商品の精算処理に応じて貨幣の収納処理及び釣銭となる貨幣の払出処理を行う貨幣釣銭機に収納された貨幣の一部又は全部の入金を受け付ける貨幣入出金機であって、
自装置及び前記貨幣釣銭機に着脱可能であり、該貨幣釣銭機から自装置に収納する貨幣を収納するとともに、該貨幣の貨幣量に係る情報を保持する記憶媒体が付設された貨幣カセットと、
前記貨幣カセットに収納した貨幣の貨幣量に係る情報を前記記憶媒体から読み取る読取部と、
貨幣の収納及び貨幣の繰り出しが可能な第１の貨幣収納部と、
所定の操作に応答して、前記第１の貨幣収納部に収納された貨幣の一部又は全部を収納する第２の貨幣収納部と、
装置本体に前記貨幣カセットが装着された場合に、前記読取部により前記記憶媒体から読み取られた貨幣量に係る情報を前記第１の貨幣収納部に収納する貨幣の貨幣量に関する情報として取得する取得部と、
前記取得部により取得された貨幣量に関する情報に基づいて、前記第１の貨幣収納部に収納された貨幣の一部又は全部を前記第２の貨幣収納部に収納するよう制御する制御部と
を備えたことを特徴とする貨幣入出金機。
【発明の詳細な説明】
【技術分野】
【０００１】
この発明は、商品の精算処理に応じて貨幣の収納処理及び釣銭となる貨幣の払出処理を行う貨幣釣銭機と、貨幣釣銭機に収納された貨幣の一部又は全部の入金を受け付ける貨幣入出金機とを有する貨幣処理システム及び貨幣入出金機に関する。
【背景技術】
【０００２】
スーパーマーケットやコンビニエンスストア等の商業施設の店舗には、商品棚が設置されるフロント領域と、顧客が立ち入ることができないバックヤード領域が存在する。
【０００３】
そして、フロント領域の精算所であるレジには、ＰＯＳ（Point Of Sales）端末及び貨幣釣銭機が設置され、商品と引き換えに顧客からレジ担当者に手渡された貨幣の入金処理を行うとともに、釣銭としての貨幣の出金処理を行っている。一方、店舗のバックヤード領域には、貨幣入出金機が設置され、この貨幣入出金機を用いて、貨幣釣銭機から回収された売上金としての貨幣を入金処理し、貨幣釣銭機に補充されるべき釣銭補充金としての貨幣を出金処理する。
【０００４】
従来、かかる貨幣釣銭機及び貨幣入出金機を組み合わせた各種の貨幣処理システムが知られている。例えば、特許文献１には、少なくとも１台の貨幣釣銭機と、貨幣釣銭機から回収された貨幣の入金処理を行う貨幣入出金機（現金処理装置）と、貨幣釣銭機に保有された金種毎の釣銭用貨幣の在高枚数情報、貨幣釣銭機における金種毎の釣銭必要枚数情報及び貨幣入出金機における入金額情報を管理する現金データ管理装置とを備えた現金管理システムが開示されている。
【０００５】
かかる特許文献１によれば、現金データ管理装置が、貨幣釣銭機から送信される在高データにより、当該貨幣釣銭機に補充されるべき釣銭補充金としての貨幣の金種毎の枚数に係る情報を貨幣入出金機に通知し、貨幣入出金機は、現金データ管理装置から通知された情報に基づいて貨幣釣銭機に補充されるべき釣銭補充金としての貨幣を出金する。
【０００６】
また、貨幣釣銭機から売上金としての貨幣が回収される際に、現金データ管理装置は、貨幣釣銭機における貨幣の在高と、必要な釣銭明細（すなわち、貨幣釣銭機に釣銭として残置されるべき貨幣の金種毎の枚数に係る情報）とに基づいて、釣銭機から回収されるべき貨幣の金種毎の枚数や金額等を算出し、算出された情報を貨幣釣銭機に通知するよう構成されており、貨幣釣銭機は、現金データ管理装置から通知された情報に基づいて回収されるべき貨幣を出金する。
【先行技術文献】
【特許文献】
【０００７】
【特許文献１】特許第５１２５１３６号
【発明の概要】
【発明が解決しようとする課題】
【０００８】
しかしながら、この特許文献１を用いたとしても、レジ担当者が貨幣釣銭機から回収した売上金を貨幣入出金機に収納する場合に、売上金の全てを貨幣入出金機に直ちに収納させることができず、レジ担当者が待機せねばならない場合がある。
【０００９】
この点を具体的に説明すると、この種の貨幣入出金機には、貨幣の入出金処理が可能な収納部と、貨幣の入金処理が可能な回収カセットとが設けられており、入金された貨幣を収納部に収納するとともに、収納部内の貨幣を回収カセットに移行させる。そして、釣銭補充金を出金する場合には、収納部に収納された貨幣を払い出し、売上金を入金する場合には、収納部内の貨幣の一部又は全部を回収カセットに移行した後に、新たな売上金を収納部に収納する。このため、収納部内にすでに十分な貨幣が存在し、売上金の全てを収納部に収納することができない場合には、収納部内の貨幣を回収カセットに移行するまでの間、レジ担当者は待機せねばならなくなる。
【００１０】
このことから、貨幣入出金機が、貨幣の入出金処理が可能な収納部と、貨幣の入金処理が可能な回収カセットとを有する場合に、収納部から回収カセットへの貨幣の移行に伴うレジ担当者の待機時間をいかにして低減するかが重要な課題となっている。
【００１１】
本発明は、かかる課題を解決するためになされたものであって、貨幣の入出金処理が可能な収納部と、貨幣の入金処理が可能な回収カセットとを有する場合に、収納部から回収カセットへの貨幣の移行に伴うレジ担当者等の待機時間を効率良く低減することができる貨幣処理システム及び貨幣入出金機を提供することを目的とする。
【課題を解決するための手段】
【００１２】
上述した課題を解決し、目的を達成するため、本発明は、商品の精算処理に応じて貨幣の収納処理及び釣銭となる貨幣の払出処理を行う貨幣釣銭機と、前記貨幣釣銭機に収納された貨幣の一部又は全部の入金を受け付ける貨幣入出金機とを有する貨幣処理システムであって、前記貨幣入出金機は、自装置及び前記貨幣釣銭機に着脱可能であり、該貨幣釣銭機から自装置に収納する貨幣を収納するとともに、該貨幣の貨幣量に係る情報を保持する記憶媒体が付設された貨幣カセットと、前記貨幣カセットに収納した貨幣の貨幣量に係る情報を前記記憶媒体から読み取る読取部と、貨幣の収納及び貨幣の繰り出しが可能な第１の貨幣収納部と、所定の操作に応答して、前記第１の貨幣収納部に収納された貨幣の一部又は全部を収納する第２の貨幣収納部と、装置本体に前記貨幣カセットが装着された場合に、前記読取部により前記記憶媒体から読み取られた貨幣量に係る情報を前記第１の貨幣収納部に収納する貨幣の貨幣量に関する情報として取得する取得部と、前記取得部により取得された貨幣量に関する情報に基づいて、前記第１の貨幣収納部に収納された貨幣の一部又は全部を前記第２の貨幣収納部に収納するよう制御する制御部とを備えたことを特徴とする。
【００１３】
また、本発明は、上記の発明において、前記貨幣入出金機は、前記第１の貨幣収納部に収納できる貨幣の上限値を記憶する記憶部をさらに備え、前記制御部は、前記第１の貨幣収納部に収納された貨幣の貨幣量、前記取得部により取得された貨幣量に関する情報及び前記記憶部に記憶された上限値に基づいて、前記第１の貨幣収納部に収納された貨幣の一部又は全部を前記第２の貨幣収納部に収納するよう制御することを特徴とする。
【００１５】
また、本発明は、上記の発明において、前記貨幣釣銭機は、前記貨幣カセットに収納した貨幣の貨幣量に係る情報を前記記憶媒体に書き込む書込部を備えたことを特徴とする。
【００１８】
また、本発明は、商品の精算処理に応じて貨幣の収納処理及び釣銭となる貨幣の払出処理を行う貨幣釣銭機に収納された貨幣の一部又は全部の入金を受け付ける貨幣入出金機であって、自装置及び前記貨幣釣銭機に着脱可能であり、該貨幣釣銭機から自装置に収納する貨幣を収納するとともに、該貨幣の貨幣量に係る情報を保持する記憶媒体が付設された貨幣カセットと、前記貨幣カセットに収納した貨幣の貨幣量に係る情報を前記記憶媒体から読み取る読取部と、貨幣の収納及び貨幣の繰り出しが可能な第１の貨幣収納部と、所定の操作に応答して、前記第１の貨幣収納部に収納された貨幣の一部又は全部を収納する第２の貨幣収納部と、装置本体に前記貨幣カセットが装着された場合に、前記読取部により前記記憶媒体から読み取られた貨幣量に係る情報を前記第１の貨幣収納部に収納する貨幣の貨幣量に関する情報として取得する取得部と、前記取得部により取得された貨幣量に関する情報に基づいて、前記第１の貨幣収納部に収納された貨幣の一部又は全部を前記第２の貨幣収納部に収納するよう制御する制御部とを備えたことを特徴とする。
【発明の効果】
【００１９】
本発明によれば、貨幣の入出金処理が可能な収納部と、貨幣の入金処理が可能な回収カセットとを有する場合に、収納部から回収カセットへの貨幣の移行に伴うレジ担当者等の待機時間を効率良く低減することができる。
【図面の簡単な説明】
【００２０】
【図１】図１は、実施例１に係る貨幣処理システムの概念を説明するための説明図である。
【図２】図２は、実施例１に係る貨幣処理システムの構成を示す構成図である。
【図３】図３は、図２に示す貨幣処理システムにおける貨幣入出金機の外観を示す斜視図である。
【図４】図４は、図３に示す貨幣入出金機における紙幣処理ユニットの内部構成を側方から見たときの構成図である。
【図５】図５は、図３に示す貨幣入出金機における硬貨処理ユニットの内部構成を上方から見たときの構成図である。
【図６】図６は、図３に示す貨幣入出金機における包装硬貨収納ユニットの引出部の構成を示す斜視図である。
【図７】図７は、図３に示す貨幣入出金機における制御系の構成を示す機能ブロック図である。
【図８】図８は、図２に示す貨幣処理システムにおける貨幣釣銭機及びＰＯＳレジスタの外観を示す斜視図である。
【図９】図９は、図８に示す貨幣釣銭機における紙幣処理ユニットの内部構成を側方から見たときの構成図である。
【図１０】図１０は、図８に示す貨幣釣銭機における硬貨処理ユニットの内部構成を上方から見たときの構成図である。
【図１１】図１１は、図８に示す貨幣釣銭機において包装硬貨収納ユニットの収納ドロアを筐体から引き出したときの構成を上方から見たときの構成図である。
【図１２】図１２は、図８に示す貨幣釣銭機及びＰＯＳレジスタにおける制御系の構成を示す機能ブロック図である。
【図１３】図１３は、図２に示す貨幣処理システムにおいて貨幣入出金機のカセット装着部及び貨幣釣銭機のカセット装着部にそれぞれ着脱自在に装着可能となっている収納カセットの外観を示す斜視図である。
【図１４】図１４は、収納カセットが装着された場合における貨幣入出金機の処理手順を示すフローチャートである。
【図１５】図１５は、実施例２に係る貨幣処理システムの概念を説明するための説明図である。
【図１６】図１６は、複数の貨幣釣銭機への釣銭の補充についての説明図である。
【図１７】図１７は、貨幣入出金機と貨幣釣銭機との接続の一例を示す図である。
【図１８】図１８は、図１５に示す貨幣入出金機における制御系の構成を示す機能ブロック図である。
【図１９】図１９は、図１５に示す貨幣入出金機の処理手順を示すフローチャートである。
【発明を実施するための形態】
【００２１】
以下、添付図面を参照して、本発明に係る貨幣処理システム及び貨幣入出金機の好適な実施例を詳細に説明する。
【実施例１】
【００２２】
＜貨幣処理システム１の概念＞
まず、実施例１に係る貨幣処理システムの概念について説明する。図１は、実施例１に係る貨幣処理システムの概念を説明するための説明図である。図１に示すように、この貨幣処理システムは、貨幣釣銭機２００と貨幣入出金機１００とを有し、貨幣釣銭機２００と貨幣入出金機１００との貨幣の受け渡しに際しては、ＩＣ（Integrated Circuit）タグ３０４が付設された収納カセット３００が利用される。本実施例１では、貨幣釣銭機２００と貨幣入出金機１００との間で、収納カセット３００を用いて紙幣を受け渡す場合を示すこととする。なお、本発明はこれに限定されるものではなく、ＩＣタグ３０４以外の記憶媒体を用いることができ、収納カセット３００に硬貨を収納して搬送することもできる。
【００２３】
貨幣釣銭機２００は、スーパーマーケットやコンビニエンスストア等の商業施設の店舗において、商品棚が設置されるフロント領域の精算所であるレジに設置され、商品と引き換えに顧客からレジ担当者に手渡された貨幣の入金処理を行うとともに、釣銭としての貨幣の出金処理を行う。
【００２４】
貨幣入出金機１００は、店舗のバックヤード領域に設置され、貨幣釣銭機２００から回収された売上金としての貨幣の入金処理を行うとともに、貨幣釣銭機２００に補充されるべき釣銭補充金としての貨幣の出金処理を行う。貨幣入出金機１００は、貨幣の入金処理及び出金処理の両方（入出金処理）が可能な紙幣収納部１３４、１３６と、貨幣の入金処理が可能な回収カセット１４０とを有する。
【００２５】
貨幣釣銭機２００と貨幣入出金機１００との間で紙幣を受け渡す場合に、ＩＣタグ３０４が付設された収納カセット３００が利用される。このため、レジ担当者等の店員が直接紙幣に触れる機会をなくすることができる。
【００２６】
貨幣釣銭機２００から回収した紙幣を貨幣入出金機１００に入金する場合には、まず、貨幣釣銭機２００が、収納カセット３００に売上金となる紙幣を収納し（１）、収納した紙幣の金種ごとの数量（貨幣量）を示す貨幣量データをＩＣタグ３０４に書き込む（２）。
【００２７】
その後、レジ担当者が、収納カセット３００を貨幣釣銭機２００から取り外してバックヤードに運搬し（３）、バックヤードに所在する貨幣入出金機１００に収納カセット３００を装着する。貨幣入出金機１００は、収納カセット３００が装着されたならば、この収納カセット３００に付設されたＩＣタグ３０４から貨幣量データを読み取る（４）。
【００２８】
貨幣入出金機１００は、ＩＣタグ３０４から読み取った貨幣量データ（Ａ）と、紙幣収納部１３４、１３６の紙幣の在高（Ｂ）と、紙幣収納部１３４、１３６の紙幣の収納上限（Ｃ）とに基づいて、収納カセット３００内の全ての紙幣を紙幣収納部１３４、１３６に収納できるか否かを判定する（５）。具体的には、貨幣量データ（Ａ）と在高（Ｂ）の和が収納上限（Ｃ）を超えるか否かを算定して、全ての紙幣を紙幣収納部１３４、１３６に収納できるか否かを判定する。
【００２９】
貨幣入出金機１００は、全ての紙幣を紙幣収納部１３４、１３６に収納できると判定されたならば、収納カセット３００内の紙幣の入金処理を行う。これに対して、全ての紙幣を紙幣収納部１３４、１３６に収納できないと判定されたならば、貨幣入出金機１００は、収納カセット３００からの紙幣の入金処理を行う前に、紙幣収納部１３４、１３６内の紙幣の少なくとも一部を回収カセット１４０に移動させる（６）。その後、貨幣入出金機１００は、収納カセット３００内の紙幣を入金処理する（７）。
【００３０】
このように、本実施例１に係る貨幣処理システムでは、貨幣入出金機１００は、収納カセット３００内の金種ごとの紙幣の数量（貨幣量）をＩＣタグ３０４から読み取り、収納カセット３００内の全ての紙幣を紙幣収納部１３４、１３６に収納できない場合には、紙幣収納部１３４、１３６内の紙幣の一部を事前に回収カセット１４０に移動させ、収納カセット３００内の全ての紙幣を紙幣収納部１３４、１３６に収納可能な状態にしてから、収納カセット３００内の紙幣の入金処理を行う。このため、入金処理の途中で紙幣収納部１３４、１３６がフル状態となり、紙幣収納部１３４、１３６から回収カセット１４０への紙幣の移動という割込処理が実行されるまでの間、レジ担当者の待機時間を低減することができる。なお、上記の割込処理を行うためには、入金処理を一時的に中断してデータを待避される等の処理を行わねばならない。また、レジ担当者が貨幣入出金機１００上で操作を行っている間に、紙幣の移動を開始できる。このため、レジ担当者の待機時間の低減が可能となる。
【００３１】
＜貨幣処理システムの構成＞
次に、貨幣処理システムの構成について説明する。図２は、実施例１に係る貨幣処理システムの構成を示す構成図である。図２に示すように、店舗４２０のフロント領域には、様々な商品が陳列された商品棚が設置され、このフロント領域の精算所には貨幣釣銭機２００やＰＯＳレジスタ２９０が設置される。顧客が精算所で精算処理を行う場合に、レジ担当者は、顧客から受け取った商品の代金としての貨幣を貨幣釣銭機２００に入金するとともに、釣銭としての貨幣を貨幣釣銭機２００から出金して顧客に返却する。
【００３２】
また、ＰＯＳレジスタ２９０により、顧客が購入した商品に係る情報や貨幣釣銭機２００に収納されている貨幣に係る情報等の管理が行われる。また、このような店舗４２０のバックヤード領域（例えば、入金室等が該当する）には、貨幣釣銭機２００から回収された売上金としての貨幣を入金する出納機等の貨幣入出金機１００が設置されている。また、貨幣釣銭機２００において釣銭としての貨幣が不足する場合には、貨幣入出金機１００から釣銭補充金を出金し、この貨幣入出金機１００から出金された釣銭補充金としての貨幣を貨幣釣銭機２００に補充することができる。本実施例１では、かかる貨幣入出金機１００及び貨幣釣銭機２００を組み合わせることにより貨幣処理システム１が構成される。
【００３３】
また、図２に示すように、この貨幣処理システム１では、警送会社４１０の警備員等により、紙幣や硬貨が収納されている回収カセット１４０、１７０が貨幣入出金機１００から取り出され、これらの回収カセット１４０、１７０ごと紙幣や硬貨が貨幣入出金機１００から警送会社４１０に回収される。また、警送会社４１０の警備員は、貨幣釣銭機２００で用いられる釣銭準備金を警送会社４１０から店舗４２０に運搬し、この店舗４２０に設けられた金庫４２２に収納させる。そして、貨幣入出金機１００において上記の釣銭準備金が不足した場合には、警送会社４１０の警備員は、金庫４２２から貨幣を取り出して貨幣入出金機１００に入金する。
【００３４】
また、図２に示すように、この貨幣処理システム１では、貨幣入出金機１００はＬＡＮ（Local Area Network）４０４を介して店舗４２０の外部に設けられたターミナル４００やユーザーサーバー４０２に通信可能に接続されており、これらのターミナル４００やユーザーサーバー４０２により、貨幣入出金機１００における貨幣の在高や、警送会社４１０の警備員等や店舗４２０のレジ担当者等の操作者の情報が管理される。
【００３５】
＜貨幣入出金機１００及び貨幣釣銭機２００の構成＞
次に、この貨幣処理システム１における貨幣入出金機１００及び貨幣釣銭機２００の構成の詳細について説明する。
【００３６】
まず、店舗４２０のバックヤード領域に設けられた貨幣入出金機１００の構成の詳細について図３〜図７を用いて説明する。図３等に示すように、本実施例１に係る貨幣入出金機１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図３に示すように、紙幣処理ユニット１１０及び硬貨処理ユニット１５０は、貨幣入出金機１００を手前側から見て左右に並ぶよう配置されており、これらの紙幣処理ユニット１１０及び硬貨処理ユニット１５０の下方に包装硬貨収納ユニット１８０が配置されている。
【００３７】
図３及び図４に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図４において、筐体１０１の右側の側面が紙幣処理ユニット１１０の手前側の面となっており、図４における左向きの方向が紙幣処理ユニット１１０の奥行き方向となっている。
【００３８】
図４に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、出金リジェクト部１２４、後述する収納カセット３００を着脱自在に装着可能なカセット装着部１２６、回収カセット１４０及び２つの紙幣収納部１３４、１３６が、それぞれ、周回搬送部１３０ａを取り囲むよう配置されている。
【００３９】
また、図４に示すように、複数の接続搬送部１３０ｂの各々により、紙幣受入部１２０、紙幣払出部１２２、出金リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００４０】
周回搬送部１３０ａは、図４における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００４１】
図３及び図４に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたり、このカセット装着部１２６から収納カセット３００を取り出したりすることができる。
【００４２】
また、図７に示すように、カセット装着部１２６には、当該カセット装着部１２６に装着された収納カセット３００に付設されたＩＣタグ３０４に様々な情報を書き込む書込部１２８及びこのＩＣタグ３０４から様々な情報を読み取る読取部１２９が設けられている。書込部１２８によりＩＣタグ３０４に書き込まれる情報や読取部１２９によりＩＣタグ３０４から読み取られる情報の詳細については後述するが、このＩＣタグ３０４のメモリには収納カセット３００に収納された金種ごとの紙幣の枚数が記憶される。
【００４３】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００４４】
紙幣払出部１２２は、各紙幣収納部１３４、１３６から周回搬送部１３０ａに繰り出された紙幣を紙幣取出口１２２ａにより筐体１０１の外部へ放出する。
【００４５】
出金リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００４６】
各紙幣収納部１３４、１３６は、識別部１３２の識別結果に基づいて紙幣を金種別に収納する。これらの紙幣収納部１３４、１３６には、貨幣釣銭機２００への釣銭補充金の紙幣として貨幣入出金機１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００４７】
筐体１０１の内部における下部領域には回収カセット１４０が収容されており、警送会社４１０により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００４８】
次に、硬貨処理ユニット１５０の構成について説明する。図３及び図５に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４９】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構１５３（図７参照）が設けられており、硬貨受入部１５２に受け入れられた硬貨を検知するとこの硬貨繰出機構１５３が駆動されることにより、当該硬貨繰出機構１５３によって硬貨が筐体１０１の内部に１枚ずつ繰り出される。また、図５に示すように、硬貨受入部１５２には、当該硬貨受入部１５２により筐体１０１の内部に繰り出された硬貨を搬送する入金搬送部１５４が接続されている。
【００５０】
図５に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００５１】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図５における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられている。
【００５２】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００５３】
筐体１０１の内部における下部領域には回収カセット１７０が収容されており、警送会社４１０により回収されるべき硬貨が回収カセット１７０に収納される。具体的には、図５に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００５４】
次に、包装硬貨収納ユニット１８０の構成について説明する。図６に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図６に示すように、各収納領域１８０ａ〜１８０ｆに包装硬貨が収納されたときに当該包装硬貨の長手方向が鉛直方向を向くようになっている。
【００５５】
そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができる。また、図７に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができない。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知される。
【００５６】
さらに、複数の収納領域１８０ａ〜１８０ｆの側方には、複数のＬＥＤ（Light Emitting Diode）１８２ａが設けられるおり、また、複数のラベル１８２ｂが貼付されている。複数のラベル１８２ｂは、複数の収納領域１８０ａ〜１８０ｆにそれぞれ対応して貼付され、収納する包装硬貨の金種を示している。また、複数のＬＥＤ１８２ａは、複数の収納領域１８０ａ〜１８０ｆにそれぞれ対応して設けられ、対応する収納領域において収納や取出しを行う際に点灯することで、包装硬貨に係るレジ担当者の操作を補助する。
【００５７】
なお、各収納領域１８０ａ〜１８０ｆに収納されている包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００５８】
また、図６に示す例では、各収納領域１８０ａ〜１８０ｆは複数の領域に区画されており、各区画には包装硬貨が１０本ずつ収納される場合を示しているが、このような例に限定されるものではない。各区画に包装硬貨が５本ずつ収納されるようになっていてもよく、あるいは各区画に包装硬貨が３本ずつ収納されるようになっていてもよく、また、異なる本数の包装硬貨が収納される複数の種類の区画が組み合わせられるようになっていてもよい。また、上記の説明では包装硬貨収納ユニット１８０が１つのみ設けられる場合について説明したが、このような例に限定されることはなく、複数の包装硬貨収納ユニット１８０が設けられるようになっていてもよい。この場合に、包装硬貨の各金種に対応するよう複数の包装硬貨収納ユニット１８０を設けてもよく、あるいは例えば２つの包装硬貨収納ユニット１８０にそれぞれ複数の金種の包装硬貨を収納させるようにしてもよい。
【００５９】
＜貨幣入出金機１００における制御系の構成＞
次に、このような貨幣入出金機１００における制御系の構成について説明する。図７は、貨幣入出金機１００における制御系の構成を示すブロック図である。図７に示すように、貨幣入出金機１００の筐体１０１の内部には制御部１０２が設けられており、当該制御部１０２により紙幣処理ユニット１１０、硬貨処理ユニット１５０及び包装硬貨収納ユニット１８０の各々の構成部位が制御される。
【００６０】
具体的には、制御部１０２には、紙幣処理ユニット１１０の紙幣繰出機構１２１、搬送部１３０、識別部１３２、紙幣繰出機構１３５、１３７、カセット装着部１２６、書込部１２８、読取部１２９等が接続されており、識別部１３２による紙幣の識別情報や、収納カセット３００に設けられたＩＣタグ３０４から読取部１２９により読み取られた情報が制御部１０２に送られるとともに、制御部１０２は紙幣処理ユニット１１０の各構成部位に指令信号を送ることにより、これらの構成部位の制御を行う。
【００６１】
また、制御部１０２には、硬貨処理ユニット１５０の硬貨繰出機構１５３、入金搬送部１５４、識別部１５６、第１分岐部１５８、各収納繰出部１６０、出金搬送部１６２及び第２分岐部１６４等が接続されており、識別部１５６による硬貨の識別情報が制御部１０２に送られるとともに、制御部１０２は硬貨処理ユニット１５０の各構成部位に指令信号を送ることにより、これらの構成部位の制御を行う。
【００６２】
また、制御部１０２には、包装硬貨収納ユニット１８０のロック機構１８４及び重量計１８６等が接続されており、重量計１８６による包装硬貨の測定結果が制御部１０２に送られるとともに、制御部１０２はロック機構１８４に指令信号を送ることにより当該ロック機構１８４の制御を行う。
【００６３】
また、図７に示すように、制御部１０２には、操作表示部１０４、通信部１０５、記憶部１０６、在高管理部１０７、算出部１０８及び売上金管理部１０９がそれぞれ接続されている。
【００６４】
操作表示部１０４は、筐体１０１の上部に設けられたタッチパネル等からなり、操作者が操作するための操作画面や、紙幣処理ユニット１１０、硬貨処理ユニット１５０及び包装硬貨収納ユニット１８０の各々に収納されている貨幣の在高に係る情報が操作表示部１０４に表示される。また、このような操作表示部１０４において操作者は操作画面における操作ボタンに指を触れることによって制御部１０２に様々な指令を入力することができる。通信部１０５は、ターミナル４００やユーザーサーバー４０２に対してＬＡＮ４０４を介して様々な信号の送受信を行うことができる。
【００６５】
記憶部１０６には、紙幣処理ユニット１１０、硬貨処理ユニット１５０及び包装硬貨収納ユニット１８０の各々に収納されている貨幣の在高に係る情報や、貨幣入出金機１００における貨幣の処理履歴等の様々な情報が記憶される。また、本実施例１では、貨幣釣銭機２００における釣銭準備金に関する貨幣の金種毎の残置設定枚数に係る情報も記憶部１０６に記憶される。ここで、貨幣釣銭機２００における釣銭準備金に関する貨幣の金種毎の残置設定枚数とは、例えば店舗４２０の営業時間の開始時に貨幣釣銭機２００に収納されていなければならない釣銭準備金としての貨幣の金種毎の枚数のことをいう。
【００６６】
また、記憶部１０６は、収納上限値１０６ａ及びＩＣタグ利用設定情報１０６ｂを記憶する。収納上限値１０６ａは、紙幣収納部１３４、１３６に収納可能な紙幣の上限を示す値である。ＩＣタグ利用設定情報１０６ｂは、収納カセット３００に設けられたＩＣタグ３０４に書き込まれた情報を貨幣入出金機１００が利用するか否かを示す情報である。例えば、ＩＣタグ利用設定情報１０６ｂが「利用しない」旨の設定を含む場合には、貨幣入出金機１００は、たとえＩＣタグ３０４から情報を読み取ったとしても、その情報は破棄する。一方、ＩＣタグ利用設定情報１０６ｂが「利用する」旨の設定を含む場合には、ＩＣタグ３０４から読み取られた情報（貨幣量データを含む）が、貨幣釣銭機２００と貨幣入出金機１００との間で、収納カセット３００を用いて紙幣を受け渡す場合に利用される。
【００６７】
算出部１０８は、在高管理部１０７により管理されている貨幣釣銭機２００の貨幣の在高及び記憶部１０６に記憶されている情報に基づいて貨幣釣銭機２００に入金されるべき釣銭補充金に係る貨幣の金種毎の枚数を算出する。また、売上金管理部１０９は、貨幣釣銭機２００の貨幣の在高に係る情報と、収納カセット３００への出金処理などにより出金された釣銭補充金に係る情報とに基づいて、貨幣釣銭機２００に入金された売上金に係る貨幣の情報を管理する。
【００６８】
さらに、制御部１０２は、貨幣量データ取得部１０２ａ及び入金制御部１０２ｂを有する。貨幣量データ取得部１０２ａは、読取部１２９がＩＣタグ３０４から読み出した貨幣量データを取得する処理を行う。
【００６９】
入金制御部１０２ｂは、貨幣釣銭機２００から回収した貨幣を貨幣入出金機１００に入金する処理を行う。入金制御部１０２ｂは、収納カセット３００がカセット装着部１２６に装着された場合に、記憶部１０６からＩＣタグ利用設定情報１０６ｂを読み出し、ＩＣタグ３０４の情報を利用する設定であるか否かを判定する。ＩＣタグ３０４の情報を利用する設定であるならば、入金制御部１０２ｂは、読取部１２９によるＩＣタグ３０４からの情報の読み取りが正常に行われたか否かを判定する。ＩＣタグ３０４の情報を利用する設定であるにも関わらず、情報の読み取りが正常に終了しなければ、入金制御部１０２ｂは、収納カセット３００を排出制御し、収納カセット３００の装着をレジ担当者に再度行わせる。
【００７０】
入金制御部１０２ｂは、読取部１２９によるＩＣタグ３０４からの情報の読み取りが正常に行われたならば、貨幣量データ取得部１０２ａが取得した貨幣量データと、紙幣収納部１３４、１３６における紙幣の在高と、収納上限値１０６ａとを用い、収納カセット３００内の全ての紙幣を紙幣収納部１３４、１３６に収納可能であるか否かを判定する。
【００７１】
収納カセット３００内の全ての紙幣を紙幣収納部１３４、１３６に収納することができないならば、入金制御部１０２ｂは、紙幣収納部１３４、１３６内の紙幣の一部を回収カセット１４０に移動させる。具体的には、各金種について、貨幣量データに示された数量と、紙幣収納部１３４、１３６の在高との合計が該紙幣収納部１３４、１３６の上限値以下となるように紙幣を回収カセット１４０に移動させる。このように、必要に応じて紙幣の移動を行うことで収納カセット３００内の全ての紙幣を紙幣収納部１３４、１３６に収納することができる状態にしてから、入金制御部１０２ｂは、収納カセット３００内の紙幣の入金処理を開始する。
【００７２】
また、入金制御部１０２ｂは、包装硬貨収納ユニット１８０に包装硬貨の収納や取出しを行う場合に、引出部１８２が引き出されたならば、収納や取出しの対象となる包装硬貨の金種に対応するＬＥＤ１８２ａを点灯させる。そして、重量計１８６の出力から包装硬貨の収納や取出しが適正に行われたかを判定し、収納や取出しが適正に行われた場合にＬＥＤ１８２ａを消灯する。なお、包装硬貨の不適切な出し入れが行われた場合には、点灯色や点灯間隔などの態様により、レジ担当者に報知を行う構成としてもよい。
【００７３】
＜貨幣釣銭機２００の構成＞
次に、貨幣釣銭機２００の詳細な構成について図８〜図１２を用いて説明する。図８等に示すように、本実施例１による貨幣釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、貨幣釣銭機２００の管理を行う管理装置として用いられる。
【００７４】
まず、紙幣処理ユニット２１０の構成について図８及び図９を用いて具体的に説明する。図８及び図９に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図９において、筐体２１２の右側の側面が紙幣処理ユニット２１０の手前側の面となっており、図９における左向きの方向が紙幣処理ユニット２１０の奥行き方向となっている。
【００７５】
図９に示すように、搬送部２３０は、筐体２１２の中央位置に配置された周回搬送部２３０ａ及び複数の接続搬送部２３０ｂから構成されている。また、紙幣受入部２２０、紙幣払出部２２２、出金リジェクト部２２４、後述する収納カセット３００を着脱自在に装着可能なカセット装着部２２６及び３つの紙幣収納部２３４、２３６、２３８が、それぞれ周回搬送部２３０ａを取り囲むよう配置されている。
【００７６】
また、図９に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００７７】
周回搬送部２３０ａは、図９における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００７８】
図８及び図９に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６に装着させたり、このカセット装着部２２６から収納カセット３００を取り出したりすることができる。
【００７９】
また、図１２に示すように、カセット装着部２２６には、当該カセット装着部２２６に装着された収納カセット３００に設けられているＩＣタグ３０４に様々な情報を書き込む書込部２２８及び当該ＩＣタグ３０４から様々な情報を読み取る読取部２２９がそれぞれ設けられている。
【００８０】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００８１】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【００８２】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【００８３】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００８４】
＜収納カセット３００＞
収納カセット３００は、売上金を回収する場合に各紙幣収納部２３４、２３６、２３８の紙幣を収納する。つまり、操作者による回収指示により、紙幣処理ユニット２１０内の売上金が集約される。また、各紙幣収納部２３４、２３６、２３８に収納できなかったあふれ紙幣を収納したり、自動精査時の保留場所としての役割も果たす。
【００８５】
次に、硬貨処理ユニット２５０の構成について説明する。図８及び図１０に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００８６】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図１２参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図１０に示すように、硬貨受入部２５２には、当該硬貨受入部２５２により筐体２５１の内部に繰り出された硬貨を搬送する入金搬送部２５４が接続されている。
【００８７】
図１０に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００８８】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図１０における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００８９】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００９０】
また、入金搬送部２５４の途中には、あふれ硬貨分岐部が設けられている。あふれ硬貨分岐部は、識別部２５６による硬貨の識別結果が正常硬貨であった場合でも、対応する硬貨収納部２６０がフルの状態である場合に硬貨を硬貨補助収納部２６４に搬送する。このように、硬貨補助収納部２６４は、あふれ硬貨を収納する用途に使用することも可能であるが、設定によっては硬貨収納部２６０がフル状態の場合に運用を停止し、硬貨補助収納部２６４にあふれ硬貨を入れないようにすることもできる。また、この硬貨補助収納部２６４は、自動精査処理でも使用される。
【００９１】
次に、包装硬貨収納ユニット２８０の構成について具体的に説明する。図８及び図１１に示すように、包装硬貨収納ユニット２８０は、手前側の側面が開口している略直方体形状の筐体２８１と、筐体２８１内に収容可能となっているとともに当該筐体２８１から手前側に引き出し可能な収納ドロア２８２とを備えており、収納ドロア２８２には各金種の包装硬貨が例えば２列で収納される（図１１において、収納ドロア２８２に収納された各金種の包装硬貨を斜線で示している）。
【００９２】
ここで、収納ドロア２８２には、包装硬貨を１本ずつ収納する収納部（ポケット）が複数個形成されており、各収納部に収納される包装硬貨の金種毎の収納本数及び位置が予め設定されている。具体的には、図１１において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図１１において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００９３】
また、図１２に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられている。ここで、ロック機構２８６が収納ドロア２８２を筐体２８１の内部にロックしたときには、この収納ドロア２８２を筐体２８１から手前側に引き出すことができなくなり、よって収納ドロア２８２から包装硬貨を取り出すことができなくなる。
【００９４】
また、包装硬貨収納ユニット２８０の筐体２８１における前面開口の近傍には、収納ドロア２８２が筐体２８１から手前側に引き出されたり筐体２８１の内部に戻されたりする際に、当該収納ドロア２８２に収納されている包装硬貨の金種毎の本数を検知する検知部２８４が設けられている。具体的には、図１１等に示すように、検知部２８４は左右一対の光センサ２８４ａ及び筐体２８１からの収納ドロア２８２の引き出し量を検知するロータリエンコーダ２８４ｂを有している。
【００９５】
ここで、各光センサ２８４ａは、発光素子及び受光素子を有しており、発光素子から発せられた光は、包装硬貨収納ユニット２８０の幅方向（図１１における左右方向）に延びる光軸を通って受光素子に送られる。そして、収納ドロア２８２が筐体２８１の内部に完全に収容されていたり当該収納ドロア２８２が筐体２８１から完全に引き出されたりしているときには、各光センサ２８４ａにおいて発光素子から発せられた光は受光素子により受けられる。一方、収納ドロア２８２が筐体２８１から手前側に引き出されたり筐体２８１の内部に戻されたりする際に、発光素子から発せられた光が収納ドロア２８２内に収納された包装硬貨により遮られることにより受光素子に届かなくなり、このことにより包装硬貨の孔の有無や直径の大きさが検知される。
【００９６】
前述したように、収納ドロア２８２において、収納される包装硬貨の金種毎の収納本数及び位置が予め設定されているため、光センサ２８４ａにより検知された包装硬貨の孔の有無や直径の大きさ、ならびにロータリエンコーダ２８４ｂにより検知された筐体２８１からの収納ドロア２８２の引き出し量に基づいて、収納ドロア２８２に収納された包装硬貨の金種毎の本数、及び各包装硬貨が収納ドロア２８２内の所定の位置に正しく収納されているか否か等が検知される。
【００９７】
なお、本実施例１による包装硬貨収納ユニット２８０は上記の構成のものに限定されることはない。他の構成の包装硬貨収納ユニット２８０において、収納ドロア２８２に収納されている包装硬貨の金種毎の本数を検知する検知部２８４として、収納ドロア２８２の収納部に収納される包装硬貨の有無及び金種（材質）を検出するセンサを全ての収納部に配置するような方式のものが用いられてもよい。
【００９８】
＜ＰＯＳレジスタの構成＞
次に、ＰＯＳレジスタ２９０の構成について具体的に説明する。図８及び図１２に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【００９９】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【０１００】
また、ＰＯＳレジスタ２９０には、カードリーダ２９６及び印字部２９７が設けられている（図１２参照、図８では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【０１０１】
＜貨幣釣銭機２００の制御系の構成＞
次に、このような貨幣釣銭機２００の制御系の構成について図１２を用いて説明する。図１２に示すように、硬貨処理ユニット２５０は、上位制御部２０２及び硬貨制御部２５０ａを有しており、これらの上位制御部２０２及び硬貨制御部２５０ａは互いに接続されている。
【０１０２】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【０１０３】
図１２に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、比較部２０５、出金情報管理部２０６、記憶部２０８及び判定部２０９がそれぞれ接続されている。
【０１０４】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【０１０５】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【０１０６】
記憶部２０８には、紙幣処理ユニット２１０、硬貨処理ユニット２５０及び包装硬貨収納ユニット２８０の各々に収納されている貨幣の在高に係る情報や、貨幣釣銭機２００における貨幣の処理履歴等の様々な情報が記憶される。
【０１０７】
比較部２０５は、貨幣釣銭機２００に入金された釣銭補充金に係る貨幣の金種毎の枚数と、収納カセット３００に設けられたＩＣタグ３０４から読取部２２９により読み取られた情報に基づく釣銭補充金に係る貨幣の金種毎の枚数とを比較する。
【０１０８】
出金情報管理部２０６は、収納カセット３００に設けられたＩＣタグ３０４から読取部２２９により読み取られた情報に基づいて、貨幣入出金機１００から出金された貨幣に関する情報（とりわけ、包装硬貨に関する情報）を管理する。
【０１０９】
判定部２０９は、検知部２８４による包装硬貨収納ユニット２８０の収納ドロア２８２への包装硬貨の金種毎の入金本数と、収納カセット３００に設けられたＩＣタグ３０４から読取部２２９により読み取られた、貨幣入出金機１００から出金された包装硬貨の金種毎の本数とが一致するか否かを判定する。比較部２０５、出金情報管理部２０６及び判定部２０９の機能の詳細については後述する。
【０１１０】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセット３００に設けられたＩＣタグ３０４から読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【０１１１】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【０１１２】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【０１１３】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【０１１４】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【０１１５】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【０１１６】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【０１１７】
＜収納カセット３００の構成＞
次に、貨幣入出金機１００と貨幣釣銭機２００との間で紙幣の受け渡しを行うための収納カセット３００の構成について図１３を用いて説明する。図１３に示すように、収納カセット３００は、略直方体形状のケーシング３０１を有しており、当該ケーシング３０１の内部に紙幣が積層状態で収納される。また、上述したように、収納カセット３００は貨幣入出金機１００のカセット装着部１２６及び貨幣釣銭機２００のカセット装着部２２６にそれぞれ着脱自在に装着される。
【０１１８】
また、収納カセット３００のケーシング３０１の側面には開口３０２が形成されており、収納カセット３００が貨幣入出金機１００のカセット装着部１２６や貨幣釣銭機２００のカセット装着部２２６に装着されているときに、貨幣入出金機１００の紙幣処理ユニット１１０に設けられた搬送部１３０や貨幣釣銭機２００の紙幣処理ユニット２１０に設けられた搬送部２３０から当該開口３０２を介して紙幣が収納カセット３００の内部に送られたり、収納カセット３００に収納されている紙幣が開口３０２を介して貨幣入出金機１００の紙幣処理ユニット１１０の搬送部１３０や貨幣釣銭機２００の紙幣処理ユニット２１０の搬送部２３０に繰り出されたりする。
【０１１９】
より詳細には、収納カセット３００の内部には、当該収納カセット３００に収納されている紙幣を開口３０２からケーシング３０１の外部に繰り出す紙幣繰出機構が設けられている。また、収納カセット３００が貨幣入出金機１００のカセット装着部１２６や貨幣釣銭機２００のカセット装着部２２６に装着されているときに、貨幣入出金機１００の紙幣処理ユニット１１０側や貨幣釣銭機２００の紙幣処理ユニット２１０側から収納カセット３００の紙幣繰出機構に動力が伝達される。
【０１２０】
このように、収納カセット３００が貨幣入出金機１００のカセット装着部１２６や貨幣釣銭機２００のカセット装着部２２６から取り出された状態では当該収納カセット３００に収納されている紙幣をケーシング３０１の外部に繰り出させることができないため、収納カセット３００に収納されている紙幣のセキュリティ性を向上させることができる。
【０１２１】
また、収納カセット３００のケーシング３０１の側面にはＩＣタグ３０４が設けられている。そして、収納カセット３００が貨幣入出金機１００のカセット装着部１２６や貨幣釣銭機２００のカセット装着部２２６に装着されているときに、貨幣入出金機１００のカセット装着部１２６に設けられた書込部１２８や貨幣釣銭機２００のカセット装着部２２６に設けられた書込部２２８によりＩＣタグ３０４に様々な情報を書き込んだり、貨幣入出金機１００のカセット装着部１２６に設けられた読取部１２９や貨幣釣銭機２００のカセット装着部２２６に設けられた読取部２２９によりＩＣタグ３０４から様々な情報を読み取ったりすることができるようになっている。
【０１２２】
＜貨幣入出金機１００の処理手順＞
次に、収納カセット３００が装着された場合における貨幣入出金機１００の処理手順について説明する。図１４は、収納カセット３００が装着された場合における貨幣入出金機１００の処理手順を示すフローチャートである。
【０１２３】
同図に示すように、カセット装着部１２６が収納カセット３００の装着を検知したならば（ステップＳ１０１）、入金制御部１０２ｂは、記憶部１０６からＩＣタグ利用設定情報１０６ｂを読み出し、ＩＣタグ３０４の情報を利用する設定であるか否かを判定する（ステップＳ１０２）。
【０１２４】
ＩＣタグ３０４の情報を利用する設定でなければ（ステップＳ１０２；Ｎｏ）、入金制御部１０２ｂは、収納カセット３００内の紙幣の入金処理を行う（ステップＳ１１２）。このステップＳ１１２の入金処理では、収納カセット３００から紙幣が１枚ずつ搬送され、識別部１３２による識別が行われ、識別結果に基づいて紙幣収納部１３４、１３６又は回収カセット１４０に収納される。入金処理の途中で紙幣収納部１３４、１３６の内部の紙幣の数が上限値に達したならば、入金制御部１０２ｂは、入金処理は中断し、紙幣収納部１３４、１３６の内部の紙幣の貨幣の一部又は全部を回収カセット１４０に搬送した後に、入金処理を再開する。
【０１２５】
ステップＳ１１２の入金処理の後、在高管理部１０７及び売上金管理部１０９は、識別部１３２による識別結果を売上金の管理に適用する（ステップＳ１１３）。具体的には、在高管理部１０７は、識別部１３２による識別結果から収納した紙幣の金種及び枚数を特定し、貨幣釣銭機２００の貨幣の在高を管理する。また、算出部１０８は、貨幣釣銭機２００の貨幣の在高及び記憶部１０６に記憶されている情報に基づいて貨幣釣銭機２００に入金されるべき釣銭補充金に係る貨幣の金種毎の枚数を算出する。そして、売上金管理部１０９は、貨幣釣銭機２００の貨幣の在高に係る情報と、収納カセット３００への出金処理などにより出金された釣銭補充金に係る情報とに基づいて、貨幣釣銭機２００に入金された売上金に係る貨幣の情報を管理する。
【０１２６】
一方、ＩＣタグ３０４の情報を利用する設定であるならば（ステップＳ１０２；Ｙｅｓ）、読取部１２９がＩＣタグ３０４から情報を読み取り（ステップＳ１０３）、入金制御部１０２ｂは、読取部１２９によるＩＣタグ３０４からの情報の読み取りが正常に行われたか否かを判定する（ステップＳ１０４）。ＩＣタグ３０４の情報を利用する設定であるにも関わらず、情報の読み取りが正常に終了しなければ（ステップＳ１０４；Ｎｏ）、入金制御部１０２ｂは、収納カセット３００を排出制御し（ステップＳ１０５）、ステップＳ１０１に移行する。
【０１２７】
読取部１２９によるＩＣタグ３０４からの情報の読み取りが正常に行われたならば（ステップＳ１０４；Ｙｅｓ）、貨幣量データ取得部１０２ａは、読取部１２９がＩＣタグ３０４から読み出した貨幣量データを取得する（ステップＳ１０６）。
【０１２８】
入金制御部１０２ｂは、貨幣量データ取得部１０２ａにより取得された貨幣量データと、紙幣収納部１３４、１３６における紙幣の在高と、収納上限値１０６ａとを用い、収納カセット３００内の紙幣の全てを紙幣収納部１３４、１３６に収納可能であるか否かを判定する（ステップＳ１０７）。
【０１２９】
収納カセット３００内の紙幣の全てを紙幣収納部１３４、１３６に収納することができない場合には（ステップＳ１０７；Ｎｏ）、入金制御部１０２ｂは、紙幣収納部１３４、１３６内の紙幣の一部を回収カセット１４０に移動させる（ステップＳ１０８）。具体的には、各金種について、貨幣量データに示された数量と紙幣収納部１３４、１３６の在高との合計が該紙幣収納部１３４、１３６の上限値以下となるよう、紙幣収納部１３４、１３６内の紙幣を回収カセット１４０に移動させる。
【０１３０】
ステップＳ１０８の後、若しくは収納カセット３００内の紙幣の全てを紙幣収納部１３４、１３６に収納することができる場合（ステップＳ１０７；Ｙｅｓ）、入金制御部１０２ｂは、収納カセット３００内の紙幣の入金処理を行う（ステップＳ１０９）。このステップＳ１０９の入金処理では、収納カセット３００から紙幣が１枚ずつ搬送され、識別部１３２による識別が行われ、識別結果に基づいて紙幣収納部１３４、１３６又は回収カセット１４０に収納される。
【０１３１】
このように、収納カセット３００内の紙幣の全てを紙幣収納部１３４、１３６に収納することができる状態にしてから入金処理を開始するため、入金処理の途中で紙幣収納部１３４、１３６の内部の紙幣の数が上限値に達する事態は生じない。
【０１３２】
ステップＳ１０９の入金処理の後、在高管理部１０７及び売上金管理部１０９は、ＩＣタグ３０４から読み出した貨幣量データを売上金の管理に適用する（ステップＳ１１０）。具体的には、在高管理部１０７は、貨幣量データに示された金種及び枚数に基づいて貨幣釣銭機２００の貨幣の在高を管理する。また、算出部１０８は、貨幣釣銭機２００の貨幣の在高及び記憶部１０６に記憶されている情報に基づいて貨幣釣銭機２００に入金されるべき釣銭補充金に係る貨幣の金種毎の枚数を算出する。
【０１３３】
そして、売上金管理部１０９は、貨幣釣銭機２００の貨幣の在高に係る情報と、収納カセット３００への出金処理などにより出金された釣銭補充金に係る情報とに基づいて、貨幣釣銭機２００に入金された売上金に係る貨幣の情報を管理する。
【０１３４】
ステップＳ１１０又はステップＳ１１３の後、紙幣処理ユニット１１０は、算出部１０８により算出された釣銭補充金としての紙幣を収納カセット３００に収納し（Ｓ１１１）、処理を終了する。
【０１３５】
なお、図１４では、収納カセット３００を用いた紙幣の入出金について説明したが、硬貨の入出金については別途行われる。硬貨の入金処理では、貨幣釣銭機２００から回収した売上金としての硬貨を貨幣入出金機１００に投入し、貨幣入出金機１００が釣銭補充金としての硬貨を出金処理する。また、包装硬貨の入出金が必要であれば、包装硬貨収納ユニット１８０のロックを解除し、包装硬貨の入出金を行わせる。
【０１３６】
上述してきたように、実施例１に係る貨幣処理システムでは、貨幣入出金機１００は、紙幣の収納及び紙幣の繰り出しが可能な紙幣収納部１３４、１３６と、紙幣収納部１３４、１３６に収納された紙幣の一部又は全部を収納する回収カセット１４０と、貨幣釣銭機２００に収納された紙幣の一部又は全部のうち、紙幣収納部１３４、１３６に収納する紙幣の貨幣量に関する情報を取得する貨幣量データ取得部１０２ａと、貨幣量データ取得部１０２ａにより取得された貨幣量に関する情報に基づいて、紙幣収納部１３４、１３６に収納された紙幣の一部又は回収カセット１４０に収納するよう制御する入金制御部１０２ｂと備えるよう構成したので、貨幣の入出金処理が可能な収納部と、貨幣の入金処理が可能な回収カセットとを有する場合に、収納部から回収カセットへの貨幣の移行に伴うレジ担当者の待機時間を効率良く低減することができる。
【０１３７】
なお、本実施例１では、ＩＣタグ利用設定情報１０６ｂを用いてＩＣタグ３０４に記憶された情報を利用するか否かを特定する場合を示したが、本発明はこれに限定されるものではなく、貨幣入出金機１００が、ＩＣタグ３０４に記憶された情報（貨幣量）を正とするか、装置内で計数した貨幣量を正とするかの判定を行う指標とてＩＣタグ利用設定情報１０６ｂを用いることもできる。具体的には、収納カセット３００に設けられたＩＣタグ３０４内のメモリには、金種ごとの紙幣の枚数が記憶されているため、ＩＣタグ利用設定情報１０６ｂがＩＣタグ３０４の情報を利用する設定であれば、在高管理部１０７は、読取部１２９により収納カセット３００のＩＣタグ３０４から読み取られた情報に基づいて貨幣釣銭機２００の貨幣の在高を管理する。ＩＣタグ利用設定情報１０６ｂがＩＣタグ３０４の情報を利用しない設定であれば、在高管理部１０７は、自装置で計数した金種ごとの紙幣の数量によって、貨幣釣銭機２００の貨幣の在高を管理する。
【実施例２】
【０１３８】
上述した実施例１では、貨幣釣銭機２００が収納カセット３００に収納した紙幣の金種ごとの数量をＩＣタグ３０４から読み取り、紙幣収納部１３４、１３６内の紙幣を事前に回収カセット１４０に移動させる構成を例示したが、貨幣釣銭機２００と貨幣入出金機１００とを通信可能に接続し、該通信を利用して貨幣入出金機１００が収納カセット３００に収納した紙幣の金種ごとの数量を受信する構成としてもよい。
【０１３９】
本実施例２では、通信を利用して貨幣入出金機１００が収納カセット３００に収納した紙幣の金種ごとの数量を受信する構成について説明する。図１５は、実施例２に係る貨幣処理システムの概念を説明するための説明図である。図１５に示す貨幣入出金機６００と貨幣釣銭機７００は、所定のネットワーク、例えばＬＡＮを介して通信可能に接続される。
【０１４０】
貨幣釣銭機７００から紙幣を回収して貨幣入出金機６００に入金する場合には、貨幣釣銭機７００は、収納カセット３００に収納する紙幣の金種ごとの数量を示す貨幣量データを予め貨幣入出金機６００に送信する（１）。
【０１４１】
貨幣入出金機６００は、貨幣量データを受信し（２）、紙幣収納部１３４、１３６における紙幣の在高と、紙幣収納部１３４、１３６における紙幣の収納上限とを用い、収納カセット３００内の紙幣の全てを紙幣収納部１３４、１３６に収納可能であるか否かを判定する（３）。そして、収納カセット３００内の紙幣の全てを紙幣収納部１３４、１３６に収納することができない場合には、貨幣入出金機１００は、紙幣収納部１３４、１３６内の紙幣の一部を回収カセット１４０に移動させる（４）。
【０１４２】
貨幣釣銭機７００は、貨幣量データに示した金種及び数量の紙幣を収納カセット３００に収納する（５）。レジ担当者は、収納カセット３００を貨幣釣銭機２００から取り外して運搬し（６）、貨幣入出金機６００に装着する。貨幣入出金機６００は、必要に応じて既に紙幣の移動を終えているため、直ちに収納カセット３００からの紙幣の入金処理を行うことができる（７）。
【０１４３】
このように、本実施例２に係る貨幣処理システムでは、貨幣入出金機６００は、貨幣釣銭機７００が収納カセット３００に収納する紙幣の金種ごとの数量をネットワーク経由で受信し、紙幣収納部１３４、１３６内の紙幣の一部を事前に回収カセット１４０に移動させることで収納カセット３００内の紙幣の全てを紙幣収納部１３４、１３６に収納することができる状態にしてから、収納カセット３００内の紙幣の入金処理を行う。このため、入金処理の途中で紙幣収納部１３４、１３６がフル状態となり、回収カセット１４０への紙幣の移動が必要となる事態を防ぐことができるので、レジ担当者の待機時間を効率良く低減することができる。
【０１４４】
次に、貨幣入出金機６００が複数の貨幣釣銭機７００に対して釣銭の補充を行う場合について説明する。図１６は、複数の貨幣釣銭機７００への釣銭の補充についての説明図である。図１６では、貨幣釣銭機７００ａ〜貨幣釣銭機７００ｃの３台の貨幣釣銭機７００を示している。貨幣入出金機６００は、貨幣釣銭機７００ａ〜貨幣釣銭機７００ｃのそれぞれについて、１０枚の五千円紙幣を釣銭準備金として準備する必要があるとの設定を保持している。また、貨幣入出金機６００が払出可能な五千円紙幣が４枚である状態を示している。
【０１４５】
ここで、貨幣釣銭機７００ａの五千円紙幣の在高は３枚であり、貨幣入出金機６００が五千円紙幣４枚を全て釣銭補充金として収納カセット３００に収納して貨幣釣銭機７００ａに戻しても釣銭準備金が不足する。同様に、貨幣釣銭機７００ｃの五千円紙幣の在高は５枚であり、貨幣入出金機６００が五千円紙幣４枚を全て釣銭補充金として収納カセット３００に収納して貨幣釣銭機７００ｃに戻しても釣銭準備金が不足する。
【０１４６】
一方で、貨幣釣銭機７００ｂの五千円紙幣の在高は２０枚であり、五千円紙幣１０枚を貨幣入出金機６００に入金することができる。そして、五千円紙幣１０枚を貨幣入出金機６００に入金した後であれば、貨幣釣銭機７００ａや貨幣釣銭機７００ｃに充分な釣銭補充金を提供することができる。
【０１４７】
このように、貨幣入出金機６００が複数の貨幣釣銭機７００に釣銭補充金を提供する構成では、各貨幣釣銭機７００からどのような順序で売上金を回収するかによって、釣銭補充金が不足する事態が生じる場合がある。そこで、貨幣入出金機６００は、複数の貨幣釣銭機７００から在高や収納カセット３００に収納する貨幣の数量などを受信し、各貨幣釣銭機７００の釣銭補充金が不足することのないよう受付順序を設定し、各貨幣釣銭機７００に通知する。
【０１４８】
図１６に示した例では、貨幣釣銭機７００ｂに「受付順序指定：１」を送信し、貨幣釣銭機７００ｃに「受付順序指定：２」を送信し、貨幣釣銭機７００ａに「受付順序指定：３」を送信している。この受付順序の指定をレジ担当者が確認し、指定された順序で収納カセット３００の運搬を行うことにより、貨幣釣銭機７００ａ〜貨幣釣銭機７００ｃに十分な釣銭準備金を収納することができる。
【０１４９】
図１７は、貨幣入出金機６００と貨幣釣銭機７００との接続の一例を示す図である。図１７では、貨幣釣銭機７００ａ〜貨幣釣銭機７００ｃがそれぞれＰＯＳレジスタ２９０ａ〜２９０ｃに接続されている。さらに、貨幣入出金機６００と貨幣釣銭機７００ａ〜貨幣釣銭機７００ｃがＬＡＮ４０５により接続されている。この構成では、貨幣入出金機６００と貨幣釣銭機７００ａ〜貨幣釣銭機７００ｃとはＬＡＮ４０５を介して直接通信可能である。
【０１５０】
図１８は、貨幣入出金機６００における制御系の構成を示す機能ブロック図である。図１８に示す通信部６０５は、図７に示した通信部１０５の機能に加え、ＬＡＮ４０５を介して貨幣釣銭機７００と通信する機能を有する。また、制御部１０２は、貨幣量データ取得部６０２ａ、入金制御部６０２ｂ及び受付順序通知処理部６０２ｃを有する。
【０１５１】
貨幣量データ取得部６０２ａは、ＩＣタグ３０４からではなく、ＬＡＮ４０５を介した通信により貨幣量データを取得する点が、図７に示した貨幣量データ取得部１０２ａと異なる。
【０１５２】
入金制御部６０２ｂは、貨幣量データ取得部６０２ａが受信した貨幣量データを用いて、収納カセット３００内の全ての紙幣を紙幣収納部１３４、１３６に収納可能であるか否かを判定することになる。この判定は、収納カセット３００を受け付けてからではなく、受付順序通知処理部６０２ｃが設定した受付順序に基づいて事前に行う。具体的には、まず、受付順序が１番目の貨幣釣銭機７００について判定を行い、１番目の貨幣釣銭機７００からの収納カセット３００の受け付けを待機する。そして、１番目の貨幣釣銭機７００からの収納カセット３００を受け付け、釣銭補充金を収納した収納カセット３００が取り外されたならば、次の受付順序の貨幣釣銭機７００について判定を行う。
【０１５３】
受付順序通知処理部６０２ｃは、各貨幣釣銭機７００の在高と、紙幣収納部１３４、１３６における紙幣の在高と、収納上限値１０６ａとを用い、各貨幣釣銭機７００に不足無く釣銭補充を行うことができるよう、各貨幣釣銭機７００から収納カセット３００を受け付ける順序を設定し、各貨幣釣銭機７００に通知する処理を行う。
【０１５４】
その他の構成及び動作は図７に示した貨幣入出金機１００と同様であるので、同一の構成要素には同一の符号を付して説明を省略する。
【０１５５】
貨幣釣銭機７００は、ＬＡＮ４０５を介して貨幣入出金機６００と通信する機能を有し、自装置の在高や収納カセット３００に収納する貨幣の金種及び数量を貨幣入出金機６００に送信可能である点が実施例１に示した貨幣釣銭機２００と異なる。その他の構成及び動作については、実施例１に示した貨幣釣銭機２００と同様であるので、説明を省略する。
【０１５６】
次に、貨幣入出金機６００の処理手順について説明する。図１９は、貨幣入出金機６００の処理手順を示すフローチャートである。貨幣量データ取得部６０２ａは、まず、各貨幣釣銭機７００から貨幣量に関するデータを受信する（ステップＳ２０１）。受付順序通知処理部６０２ｃは、各貨幣釣銭機７００の在高と、紙幣収納部１３４、１３６における紙幣の在高と、収納上限値１０６ａとを用い、受付順序を設定して（ステップＳ２０２）、各貨幣釣銭機７００に通知する（ステップＳ２０３）。
【０１５７】
入金制御部６０２ｂは、受付順序が１番目の貨幣釣銭機７００を選択する（ステップＳ２０４）。そして、選択した貨幣釣銭機７００の貨幣量データを用いることで、貨幣釣銭機７００に合わせた紙幣の移動を行う（ステップＳ２０５）。その後、入金制御部６０２ｂは、選択した貨幣釣銭機７００からの収納カセット３００の受付が行われたか否かを判定する（ステップＳ２０６）。選択した貨幣釣銭機７００からの収納カセット３００を受け付けていなければ（ステップＳ２０６；Ｎｏ）、ステップＳ２０６に移行することで、選択した貨幣釣銭機７００からの収納カセット３００を待機する。
【０１５８】
選択した貨幣釣銭機７００からの収納カセット３００を受け付けたならば（ステップＳ２０６；Ｙｅｓ）、入金制御部６０２ｂは、収納カセット３００内の紙幣を入金処理し（ステップＳ２０７）、釣銭補充金を収納カセット３００に収納する（ステップＳ２０８）。釣銭補充金が収納された収納カセット３００は、レジ担当者により取り外され、元の貨幣釣銭機７００に運搬される。
【０１５９】
ステップＳ２０８の後、入金制御部６０２ｂは、全ての貨幣釣銭機７００を選択済であるか否かを判定する（ステップＳ２０９）。未選択の貨幣釣銭機７００が残っていれば（ステップＳ２０９；Ｎｏ）、入金制御部６０２ｂは、次の受付順序の貨幣釣銭機７００を選択し（ステップＳ２１０）、ステップＳ２０５に移行する。そして、全ての貨幣釣銭機７００を選択済である場合に（ステップＳ２０９；Ｙｅｓ）、処理を終了する。
【０１６０】
上述してきたように、実施例２に係る貨幣処理システムでは、貨幣入出金機６００は、貨幣釣銭機７００の貨幣量に関する情報をネットワーク経由で受信し、受信した貨幣量に関する情報に基づいて、紙幣収納部１３４、１３６に収納された紙幣の一部又は回収カセット１４０に収納するよう制御するので、収納カセット３００の装着前に紙幣を移動させることができ、収納部から回収カセットへの貨幣の移行に伴うレジ担当者の待機時間をさらに効率良く低減することができる。
【０１６１】
また、貨幣入出金機６００は、複数の貨幣釣銭機７００の貨幣量に関する情報を用いて貨幣を回収する順序を設定するので、釣銭補充金が不足する事態を防止して効率よく釣銭の補充を行うことができる。
【０１６２】
なお、上述した貨幣処理システム、及びこのような貨幣処理システムに設けられた貨幣入出金機や貨幣釣銭機は、上述したような態様に限定されることはなく、様々な変更を加えることができる。
【０１６３】
例えば、実施例１に示したように貨幣入出金機１００や貨幣釣銭機２００における貨幣の在高に係る情報や収納カセット３００に収納された紙幣に係る情報等の様々な情報が収納カセット３００に設けられたＩＣタグ３０４に書き込まれる代わりに、レジ担当者等の操作者が携帯するＩＤカードにこれらの情報が書き込まれるようになっていてもよい。
【０１６４】
このような変形例に係る貨幣処理システムでは、貨幣釣銭機２００から売上金としての貨幣を回収する際に、操作者がＩＤカードをＰＯＳレジスタ２９０のカードリーダ２９６に通すことにより、貨幣釣銭機２００の貨幣の在高に係る情報や収納カセット３００に収納された紙幣に係る情報を含む様々な情報がＩＤカードに書き込まれるようになる。
【０１６５】
また、貨幣釣銭機２００から回収された売上金としての貨幣を貨幣入出金機１００に入金させる際に、操作者がＩＤカードを貨幣入出金機１００に設けられたカードリーダ（図示せず）に通すことにより、ＩＤカードに記録されている貨幣釣銭機２００の貨幣の在高に係る情報や収納カセット３００に収納された紙幣に係る情報を含む様々な情報が読み取られ、この読み取られた情報が制御部１０２に送られるようになる。
【０１６６】
また、貨幣釣銭機２００に入金されるべき釣銭補充金としての貨幣を貨幣入出金機１００から出金する際に、操作者がＩＤカードを貨幣入出金機１００に設けられたカードリーダ（図示せず）に通すことにより、貨幣入出金機１００から出金された釣銭補充金としての貨幣に係る情報を含む様々な情報がＩＤカードに書き込まれるようになる。
【０１６７】
また、貨幣入出金機１００から出金された釣銭補充金としての貨幣を貨幣釣銭機２００に入金させる際に、操作者がＩＤカードをＰＯＳレジスタ２９０のカードリーダ２９６に通すことにより、ＩＤカードに記録されている釣銭補充金としての貨幣に係る情報を含む様々な情報が読み取られ、この読み取られた情報がＰＯＳレジスタ２９０のＰＯＳ制御部２９１から貨幣釣銭機２００の上位制御部２０２に送られるようになる。
【０１６８】
このように、上述したような変形例に係る貨幣処理システムでは、収納カセット３００に設けられたＩＣタグ３０４を用いなくても、貨幣入出金機１００と貨幣釣銭機２００との間で様々な情報のやりとりを行うことができるようになる。
【０１６９】
ところで、上記の実施例１及び２では、「紙幣」を対象とする場合を中心に説明したが、本発明はこれに限定されるものではなく、「硬貨」を対象とする場合にも同様に適用することができる。  
【０１７０】
具体的には、（１）貨幣釣銭機２００にて硬貨の回収処理を行い、（２）貨幣釣銭機２００に設けたＩＣタグリーダライタにて担当者が保持するＩＣタグに回収した硬貨の金種別枚数データを書き込み、（３）担当者が貨幣釣銭機２００から回収した硬貨を貨幣入出金機１００まで運搬する。そして、（４）貨幣入出金機１００は、貨幣入出金機１００に設けられたＩＣタグリーダライタによりＩＣタグに記憶されたデータを読み取ることで、回収された硬貨の金種別枚数データを取得し、（５）取得した回収硬貨の金種別枚数データに基づいて、事前に収納繰出部１６０から硬貨を回収カセット１７０に移行する。その後、（６）担当者が貨幣釣銭機２００から回収した硬貨を硬貨受入部１５２に投入し、入金処理を行うと、（７）入金された硬貨の金種別枚数データとＩＣタグから取得した金種別枚数データを照合し、（８）照合結果が一致すれば正常終了し、照合結果が不一致であればエラー報知する。
【０１７１】
このように、担当者が所持するＩＣタグ又はＩＣカード等の記録媒体を利用して、貨幣釣銭機２００から回収した硬貨を貨幣入出金機１００の硬貨受入部１５２に投入する場合にも本発明を適用することができる。
【０１７２】
なお、更に別の変形例に係る貨幣処理システムにおいて、硬貨の収納及び収納されている硬貨の繰り出しを行う硬貨収納カセットが貨幣入出金機１００及び貨幣釣銭機２００にそれぞれ着脱自在に装着されるようになっていてもよい。
【０１７３】
この場合には、貨幣入出金機１００と貨幣釣銭機２００との間でこのような硬貨収納カセットにより硬貨の受け渡しを行うことができるようになるため、貨幣釣銭機２００から回収された売上金としての硬貨や貨幣入出金機１００から出金された貨幣釣銭機２００に釣銭補充金として補充されるべき硬貨を操作者の手に触れさせないようにすることができるため、セキュリティ性を高めることができる。
【０１７４】
また、このような硬貨の収納を行う硬貨収納カセットに上記のＩＣタグ３０４を設けるようにしてもよい。かかる構成では、硬貨についても紙幣と同様に貨幣量データに基づく事前の移動を行うことでレジ担当者の作業を効率化することができる。
【０１７５】
また、上記の実施例２では、貨幣入出金機６００が受付順序を設定し、複数の貨幣釣銭機７００に通知する構成を例示したが、受付の時刻を設定して複数の貨幣釣銭機７００に通知する構成であってもよい。
【０１７６】
また、上記の実施例２では、貨幣入出金機６００と複数の貨幣釣銭機７００とがＬＡＮ４０５を介して通信する構成を例示したが、貨幣入出金機６００にＰＯＳレジスタを接続し、貨幣入出金機６００に接続したＰＯＳレジスタと貨幣釣銭機７００に接続したＰＯＳレジスタとの通信を経由することで、貨幣入出金機６００と複数の貨幣釣銭機７００とが通信を実現する構成であっても良い。
【０１７７】
また、別の例として、貨幣入出金機１００において、カセット装着部１２６に装着された収納カセット３００から繰り出された紙幣を識別することなく枚数のみを計数するようになっていてもよい。この場合には、計数された紙幣の枚数と、収納カセット３００に設けられたＩＣタグ３０４に記憶されている紙幣の枚数とを比較し、両者の枚数が一致しない場合に操作表示部１０４等において両者の枚数が一致しない旨を表示するようになっていてもよい。
【０１７８】
また、貨幣入出金機１００において、カセット装着部１２６に装着された収納カセット３００から繰り出された紙幣について識別部１３２により正常な紙幣ではない（すなわち、リジェクト紙幣である）と識別された場合には、このような紙幣を出金リジェクト部１２４または回収カセット１４０に保管し、収納カセット３００に設けられたＩＣタグ３０４に記憶されている情報に基づいて、どの紙幣が正常ではないかを確定するようにしてもよい。また、この場合、識別部１３２による識別結果に基づいて、正常な紙幣ではないと識別された紙幣の情報を書込部１２８によりＩＣタグ３０４に上書きしてもよい。また、識別部１３２により正常ではないと識別された紙幣の金種及び枚数を操作表示部１０４等により手入力する場合には、リジェクト紙幣の金種及び枚数を手入力項目に反映させることにより入力行為を削減することができる。
【産業上の利用可能性】
【０１７９】
本発明の貨幣処理システム及び貨幣入出金機は、貨幣の入出金処理が可能な収納部と、貨幣の入金処理が可能な回収カセットとを有する場合に、収納部から回収カセットへの貨幣の移行に伴うレジ担当者等の待機時間を効率良く低減することに有用である。
【符号の説明】
【０１８０】
１        貨幣処理システム
１００、６００    貨幣入出金機
１０１    筐体
１０２    制御部
１０２ａ、６０２ａ  貨幣量データ取得部
１０２ｂ、６０２ｂ  入金制御部
１０４    操作表示部
１０５、６０５    通信部
１０６    記憶部
１０６ａ  収納上限値
１０６ｂ  ＩＣタグ利用設定
１０７    在高管理部
１０８    算出部
１０９    売上金管理部
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２８    書込部
１２９    読取部
１３０    搬送部
１３０ａ  周回搬送部
１３０ｂ  接続搬送部
１３２    識別部
１３４、１３６  紙幣収納部
１３５、１３７  紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８２ａ  ＬＥＤ
１８２ｂ  ラベル
１８４    ロック機構
１８６    重量計
２００、７００、７００ａ〜７００ｃ    貨幣釣銭機
２０２    上位制御部
２０３    通信部
２０４    操作表示部
２０５    比較部
２０６    出金情報管理部
２０８    記憶部
２０９    判定部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２６ａ  扉
２２８    書込部
２２９    読取部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５１    筐体
２５２    硬貨受入部
２５３    硬貨繰出機構
２５４    入金搬送部
２５６    識別部
２５８    分岐部
２６０    収納繰出部
２６２    出金搬送部
２６４    硬貨補助収納部
２６６    硬貨払出部
２８０    包装硬貨収納ユニット
２８０ａ  包装硬貨制御部
２８１    筐体
２８２    収納ドロア
２８４    検知部
２８４ａ  光センサ
２８４ｂ  ロータリエンコーダ
２８６    ロック機構
２８８    記憶部
２８９    通信部
２９０、２９０ａ〜２９０ｃ    ＰＯＳレジスタ
２９１    ＰＯＳ制御部
２９２    通信部
２９３    表示部
２９３ａ  追加の表示部
２９４    操作部
２９５    記憶部
２９６    カードリーダ
２９７    印字部
３００    収納カセット
３０１    ケーシング
３０２    開口
３０４    ＩＣタグ
４００    ターミナル
４０２    ユーザーサーバー
４０４、４０５  ＬＡＮ
４１０    警送会社
４２０    店舗
４２２    金庫
６０２ｃ  受付順序通知処理部
【図１】
0006749769.tif 000002
【図２】
0006749769.tif 000003
【図３】
0006749769.tif 000004
【図４】
0006749769.tif 000005
【図５】
0006749769.tif 000006
【図６】
0006749769.tif 000007
【図７】
0006749769.tif 000008
【図８】
0006749769.tif 000009
【図９】
0006749769.tif 000010
【図１０】
0006749769.tif 000011
【図１１】
0006749769.tif 000012
【図１２】
0006749769.tif 000013
【図１３】
0006749769.tif 000014
【図１４】
0006749769.tif 000015
【図１５】
0006749769.tif 000016
【図１６】
0006749769.tif 000017
【図１７】
0006749769.tif 000018
【図１８】
0006749769.tif 000019
【図１９】
0006749769.tif 000020